(57)【特許請求の範囲】
【請求項１】
長方形に構成された鋼板（１ａ）と、その鋼板（１ａ）上の４隅に立設された鋼材で形成された４本の角柱（９）とで本体（１）が構成され、その鋼板（１ａ）の下部の２箇所にフォークリフト用のフォーク爪受け（７）が設けられたシリンダブロックの中子（Ｍ）用治具において、前記角柱（９）で囲まれた内側に複数の中子（Ｍ）を乾燥させる乾燥炉内での乾燥時に熱風を自由に通過させるための空間（８）が設けられ、その空間（８）内の２箇所にステー（３、３）が設けられ、それらのステー（３、３）の上に高さ調整手段を有する脚（２ａ、２ａ）が設けられ、それらの脚（２ａ、２ａ）の上端に中子（Ｍ）を受けるための中子受け（２）が取付けられ、その中子受け（２）の両側には中子（Ｍ）を受けるための第１の中子ガイド（４）と第２の中子ガイド（５）とが前記中子受け（２）と並行して本体（１）に取付けられ、その第１の中子ガイド（４）と第２の中子ガイド（５）とは支持面部を構成しており、第１の中子ガイド（４）と第２の中子ガイド（５）の上面は複数の中子（Ｍ）の下面の高さに前記調整手段により整合するようになっており、複数の中子（Ｍ）の長手方向端部を位置決めするための位置決め部材（６）が本体（１）の長手方向の両端にある位置決めブッシュ（６ａ）に取り付けられ、複数の中子（Ｍ）が第１及び第２の中子ガイド（４、５）と中子受け（２）及び位置きめ部材（６）により規制されて配置されて組み立てられ、その状態でフォークリフトにより乾燥炉に搬送され、乾燥時には空間（８）に熱風が自由に通過できて均一に中子（Ｍ）を乾燥でき、乾燥が終了したらフォークリフトにより搬送できるように構成されていることを特徴とする治具。
【発明の詳細な説明】
【０００１】
【発明の属する技術分野】
本発明は、治具に関する。より詳細には、組み立て治具、搬送治具、乾燥治具の３種類の治具としての役割を発揮する多機能治具に関する。
【０００２】
【従来の技術】
従来は、中子単体を乾燥治具にセットして、乾燥炉へ移動、乾燥。
乾燥された中子単体が、パレット（或いは、パレットとして機能する搬送治具）に載ってラインサイドへ持っていかれた。
ラインサイドで、組み付け治具に中子を載せて当該中子を組み立て、組み立てられた中子は吊り具で鋳型内へ運ばれる。
【０００３】
しかし、上記の技術においては、作業工程毎に治具を交換しなければならず、面倒であり、手間がかかり、工程毎の多数の治具を管理保管する大きなスペースが必要であった。
【０００４】
【発明が解決しようとする課題】
本発明は上述した従来技術の問題点に鑑みて提案されたものであり、中子の組み立て、搬送、乾燥の各作業において一貫して同じ治具を用い、治具交換の手間を省略し、中子の品質、作業性の向上及び治具管理スペースの削減が出来る治具を提供することを目的としている。
【０００５】
【課題を解決するための手段】
本発明の治具は、長方形に構成された鋼板（１ａ）と、その鋼板（１ａ）上の４隅に立設された鋼材で形成された４本の角柱（９）とで本体（１）が構成され、その鋼板（１ａ）の下部の２箇所にフォークリフト用のフォーク爪受け（７）が設けられたシリンダブロックの中子（Ｍ）用治具において、前記角柱（９）で囲まれた内側に複数の中子（Ｍ）を乾燥させる乾燥炉内での乾燥時に熱風を自由に通過させるための空間（８）が設けられ、その空間（８）内の２箇所にステー（３、３）が設けられ、それらのステー（３、３）の上に高さ調整手段を有する脚（２ａ、２ａ）が設けられ、それらの脚（２ａ、２ａ）の上端に中子（Ｍ）を受けるための中子受け（２）が取付けられ、その中子受け（２）の両側には中子（Ｍ）を受けるための第１の中子ガイド（４）と第２の中子ガイド（５）とが前記中子受け（２）と並行して本体（１）に取付けられ、その第１の中子ガイド（４）と第２の中子ガイド（５）とは支持面部を構成しており、第１の中子ガイド（４）と第２の中子ガイド（５）の上面は複数の中子（Ｍ）の下面の高さに前記調整手段により整合するようになっており、複数の中子（Ｍ）の長手方向端部を位置決めするための位置決め部材（６）が本体（１）の長手方向の両端にある位置決めブッシュ（６ａ）に取り付けられ、複数の中子（Ｍ）が第１及び第２の中子ガイド（４、５）と中子受け（２）及び位置きめ部材（６）により規制されて配置されて組み立てられ、その状態でフォークリフトにより乾燥炉に搬送され、乾燥時には空間（８）に熱風が自由に通過できて均一に中子（Ｍ）を乾燥でき、乾燥が終了したらフォークリフトにより搬送できるように構成されている。
【０００６】
係る構成を具備する本発明によれば、（本発明に係る）治具上で、先ず、中子単体（Ｍ）を組み立てる（組み付け治具として作用する）。組み立てられた中子は、本発明の治具に載ったまま、所定個所まで搬送され（搬送治具として作用）、乾燥炉で乾燥される(乾燥治具として作用)。
【０００７】
すなわち、本発明の治具は、組み立て治具にもなっているし、乾燥治具にもなっており、且つ、搬送治具にもなっている。
【０００８】
組み立ての際には、治具に設けられた中子の端部の位置を特定する部材及び支持面部により、個々の中子の底面を所定位置に並べることにより、中子の組み立てが完了する（組み付け治具としての作用）。
【０００９】
次に、中子が組み立てられた状態で、今度は、搬送治具として、機能する。すなわち、本発明の治具に設けられた搬送用部材が、フォークの爪や吊り具その他の汎用機器の把持手段を受けて、組みつけられた中子を載置した状態で搬送され（搬送治具としての作用）、乾燥炉の所定位置まで移動される。
【００１０】
乾燥炉内では、支持面部を構成する列の間は加熱空気が流過する空間となっているので、組み付けられた中子には加熱空気が十分に供給され、良好な乾燥状態が得られる(乾燥治具としての作用）。
【００１１】
【発明の実施の形態】
以下、添付図面を参照して、本発明の実施形態について説明する。
図１は、本発明の一実施形態を示すシリンダブロックの中子用治具の模式側面図であり、本体１は鋼材で形成された角柱と鋼板とで長方形に構成され、図２及び図３を参照して、４隅に設けられている４本の段積み用柱９の内側は空間８が形成されている。
【００１２】
また、支持面部である中子受け２は空間８を結ぶように２箇所に設けられたステー３，３の上に一端が取り付けられた高さ調整手段（例えばねじ部）を有する脚２ａ，２ａの他端に取り付けられ、その中子受け２の両側には、支持面部である第１の中子ガイド４と第２の中子ガイド５とが中子受け２と並行して本体１に取り付けられている。
【００１３】
そして、その第１及び第２の中子ガイド４，５の上面はこの治具で組み立てる複数の中子Ｍ（図示の例は８個の中子でＭ１~Ｍ８）を組たてた場合の下面の高 さ（要すれば形状を含め）に整合するよう形成されており、中子受け２はその時の中子と整合するよう上面の高さは調整自在に構成されている。
【００１４】
なお、中子の長手方向端部の位置決めは本体１の長手方向の両端部にある位置決めブッシュ６ａ，６ａに取り付けられた位置決め部材６により中子の位置を規制するよう構成され、幅方向は必要に応じ第１及び第２の中子ガイド４、５に図示しないストッパを設けてもよい。
【００１５】
本体１の下部には、図１及び図３を参照して、２箇所のフォーク爪受け７が搬送部材として取り付けられている。
【００１６】
以下、作用について説明する。
図１~図３において、シリンダブロック中子Ｍ１〜Ｍ８が第１及び第２の中子 ガイド４、５と中子受け２及び位置きめ部材６により規制されて正確に配置され組み立てられ、その状態でフォークリフトにより乾燥炉に搬送される。
【００１７】
乾燥時には、本体の中央部は空間８があり熱風が自由に通過できるので効率よく、均一に中子を乾燥することが出来る。
【００１８】
乾燥が終了したら、例えばフォークリフトにより鋳造ラインサイドまで搬送し、鋳型に中子Ｍをセットし、中子を外した治具はフォークリフト等により、再び中子組立作業場、或いは治具の保管場所に搬送される。
【００１９】
図４は治具が保管場所において段積み（図示の例は２段積み）された態様を示し、段積み用柱９により段積みできるので、保管場所は効率よく使用できる。段積みは２段に限定されるものでない。
【００２０】
【発明の効果】
本発明は、上記の通り構成されており、以下の優れた効果を奏することが出来る。
（１）  中子作業における工程毎の治具が統合されるので、治具の種類が減少する。
（２）  工程間の治具への積み替え作業がなくなる。
（３）  したがって、効率のよい作業ができるとともに治具の保管スペースが減少する。
【図面の簡単な説明】
【図１】本発明の一実施形態を示す治具の模式側面図。
【図２】図１の平面図。
【図３】図２のＡ矢視図。
【図４】図１の治具を段積みした態様を示す図。
【符号の説明】
１…本体
２…中子受け
４…第１の中子ガイド
５…第２の中子ガイド
６…位置決め部材
７…フォーク爪受け
９…段積み用柱
【図１】
0004342115.tif 000002
【図２】
0004342115.tif 000003
【図３】
0004342115.tif 000004
【図４】
0004342115.tif 000005